(57)【要約】      （修正有）【課題】コネクタに対する装着作業を簡略化することのできる電線カバーを提供する。【解決手段】電線カバー１は、コネクタＣからの引出電線を電線収納部２に収納して、電線引出口４から外部に引き出される。電線引出口４は、電線収納部２の上下及び左右の側面に開口している。各電線引出口４の前縁部の近傍には、ヒンジ部６により開閉蓋５が支持されている。ヒンジ部６は、電線収納部２の側壁や開閉蓋５に比べて薄肉に形成されて可撓性を付与されており、開閉蓋５を開方向に付勢している。開閉蓋５は、電線引出口４を閉じる閉位置と、開口面の外方に位置して電線引出口４を開く開位置との間で回動する。開閉蓋５は、ヒンジ部６に支持された一縁を除く３つの縁部に、ロック体７を備えている。ロック体７は、電線引出口４の周縁に解除自在に係止して、閉位置から開位置側への開閉蓋５の回動を規制する。【選択図】図２
2009093860.tif 000002
【特許請求の範囲】
【請求項１】
コネクタの引出電線を収納して電線引出口から外部に引き出す電線カバーであって、
互いに異なる方向を向いて開口した複数の前記電線引出口を備えたことを特徴とする電線カバー。
【請求項２】
各前記電線引出口を開閉する開閉蓋を備えることを特徴とする請求項１に記載の電線カバー。
【請求項３】
コネクタに装着される装着部を一面に備えた四角箱状の電線収納部と、
前記装着部を備える一面と隣り合う前記電線収納部の４つの側面にそれぞれ開口する電線引出口と、
前記側面と外面を面一にして前記電線引出口を閉じる閉位置と、前記側面の外方に位置して前記電線引出口を開く開位置との間で回動自在に、各前記側面に取り付けられた開閉蓋と、
前記電線引出口の周縁に解除自在に係止して、閉位置から開位置側への前記開閉蓋の回動を規制するロック体とを備えることを特徴とする電線カバー。
【発明の詳細な説明】
【技術分野】
【０００１】
本発明は、コネクタの引出電線を収納して電線引出口から外部に引き出す電線カバーに関する。
【背景技術】
【０００２】
従来、この種の電線カバーとしては、下記の特許文献１に記載の保護カバーが開示されている。この保護カバーは、コネクタからの引出電線を保護するために用いられる。保護カバーは、引出電線を保護するＬ字形の電線収納部の一端にコネクタへの接続部、他端に電線引出口を備えている。電線引出口からは、電線収納部で保護された引出電線が外部に引き出される。電線引出口は、接続部の開口方向に対して垂直方向を向いて開口しており、コネクタからの引出電線が電線引出口の開口方向に屈曲して引き出される。
【０００３】
【特許文献１】特開平８−１９０９５４号公報
【発明の開示】
【発明が解決しようとする課題】
【０００４】
上記従来の保護カバーは、予め定められた電線引出口の開口方向に電線を引き出さなければならないことから、電線の引出方向と一致する方向に電線引出口を開口させた保護カバーを選択して用いる必要があった。このため、コネクタに対する保護カバーの装着作業に手間がかかった。
【０００５】
本発明は、上記した点に鑑み、コネクタに対する装着作業を簡略化することのできる電線カバーを提供することを目的とする。
【課題を解決するための手段】
【０００６】
このような目的を達成するために、本発明は、コネクタの引出電線を収納して電線引出口から外部に引き出す電線カバーであって、互いに異なる方向を向いて開口した複数の前記電線引出口を備えたことを特徴とする。
また、本発明は、各前記電線引出口を開閉する開閉蓋を備えることを特徴とする。
また、本発明は、コネクタに装着される装着部を一面に備えた四角箱状の電線収納部と、前記装着部を備える一面と隣り合う前記電線収納部の４つの側面にそれぞれ開口する電線引出口と、前記側面と外面を面一にして前記電線引出口を閉じる閉位置と、前記側面の外方に位置して前記電線引出口を開く開位置との間で回動自在に、各前記側面に取り付けられた開閉蓋と、前記電線引出口の周縁に解除自在に係止して、閉位置から開位置側への前記開閉蓋の回動を規制するロック体とを備えることを特徴とする。
【発明の効果】
【０００７】
本発明によれば、異なる複数の方向に電線引出口が開口していることから、電線の引出方向を考慮せずに電線カバーを用いることができ、コネクタへの装着作業を簡略化することができる。
【発明を実施するための最良の形態】
【０００８】
以下、図面を参照して、本発明の最良の形態を説明する。図１は、本実施形態の電線カバー１を装着したコネクタＣの前方からの斜視図である。図２は、電線引出口４から電線Ｄを引き出した電線カバー１の前方からの斜視図である。なお、以下の説明で用いる上下，前後，左右の各方向は説明に用いる各図に示している。この上下，前後，左右は説明のために記載したもので、実際の配置と異なってよいことはもちろんである。
【０００９】
図１及び図２に示すように、電線カバー１は、コネクタＣの引出電線を収納する電線収納部２と、コネクタＣに装着される装着部３と、電線収納部２から電線Ｄを外部に引き出す電線引出口４とを備えて構成されている。電線収納部２は、四角箱状を呈しており、その前面に装着部３が備えられている。装着部３は、電線収納部２の前面から略角筒状を呈して前方に延出されており、前端には図示しない装着口が開口している。装着部３は、装着口を電線収納部２の内部と連通させている。装着部３は、コネクタＣの後端部に開口する図示しない電線引出口に装着される。装着部３の上壁及び下壁の外面には、コネクタＣの備える係止片（不図示）に係止される係止部３ａが備えられている。
【００１０】
電線収納部２の上下，左右の各面には、略方形の電線引出口４が開口している。各電線引出口４は、開口面の幅方向の中央部に形成されており、開口面の前後方向の中央部に位置している。各電線引出口４の前縁部の近傍には、開閉蓋５が支持されている。
【００１１】
開閉蓋５は、電線引出口４とほぼ等しい形状の平板体から構成されており、ヒンジ部６により電線収納部２の側面に支持されている。ヒンジ部６は、開閉蓋５の一縁部に一端を連設させ、電線引出口４の前縁部の近傍に位置する電線収納部２の側壁に他端を連設させている。ヒンジ部６は、電線引出口４の開口面から外方に向けて延出しており、電線収納部２の側壁や開閉蓋５に比べて薄肉に形成されて可撓性を付与されている。ヒンジ部６を介して電線引出口４の開口面に支持された開閉蓋５は、電線収納部２の上面及び右面を開閉する開閉蓋５ａ，５ｂについて示すように、電線引出口４の開口面の外方に位置して電線引出口４を開く図１に示す開位置と、開閉蓋５ａについて示すように、開口面と外面を面一にして電線引出口４を閉じる図２に示す閉位置との間で回動する。開閉蓋５は、ヒンジ部６に支持された一縁を除く３つの縁部から、ロック体７を側方に突出させている。ロック体７は、電線引出口４の周縁の電線収納部２の内面に解除自在に係止して、閉位置から開位置側への開閉蓋５の回動を規制する。
【００１２】
電線引出口４を閉じる場合には、図１に示すように、電線引出口４を開いて電線引出口４の開口面の外方に位置した開閉蓋５を、電線引出口４側に押し込む。この押込力により、ヒンジ部６が押込力に抗する弾発力を開方向に働かせながら電線引出口４側に撓み、これに伴い開閉蓋５が電線引出口４側に回動して、図２に開閉蓋５ａについて示すように電線引出口４を外側から塞ぐ。電線引出口４を塞いだ開閉蓋５は、電線引出口４の周縁部にロック体７を係合させる。電線引出口４の開口面側に撓んで弾発力を生じさせたヒンジ部６は、開閉蓋５を電線引出口４の外方に付勢するが、電線引出口４の周縁部と開閉蓋５のロック体７との係合により、開閉蓋５の外方への回動が規制されている。
【００１３】
電線引出口４を開く場合には、コネクタＣから離脱した状態で、装着部３の図示しない装着口から電線収納部２の内部に進入させた指や工具により開閉蓋５を外方に押し出す。これにより、電線引出口４の周縁部に対するロック体７の係合が解けて、開閉蓋５に対する開方向への回動の規制が解除される。開方向への回動の規制が解除された開閉蓋５は、ヒンジ部６の付勢により回動して、電線引出口４を開く。
【００１４】
上記実施形態の電線カバー１によれば、電線収納部２の上下，左右の４つの面に電線引出口４が開口していることから、電線収納部２の上下，左右の何れの方向にも電線Ｄを引き出すことができる。このため、コネクタＣの備える電線引出口の側方の何れの方向にも、電線カバー１から電線Ｄを引き出すことができる。従って、電線Ｄの引出方向を考慮せずに電線カバー１を用いることができ、コネクタＣへの装着作業を簡略化することができる。
【００１５】
また、上記実施形態の電線カバー１によれば、電線引出に用いる電線引出口４の開閉蓋５を開き、電線引出に用いない電線引出口４の開閉蓋５を閉じることにより、電線引出に用いる電線引出口４のみを備える電線カバー１と同様に用いることができる。
【００１６】
上記実施形態では、電線収納部２の上下，左右の４つの側面に電線引出口４を設けた場合について説明したが、必ずしも４つの側面の全てに電線引出口４を備えている必要はない。また、電線収納部２の後面にも電線引出口４を備える構成としてもよい。また、電線引出口４は、必ずしも電線収納部２の側面の中央部に設けられている必要はない。また、電線引出口の形状も任意であり、図３に示す電線収納部２ａのように、上下，左右の側壁にスリットを設けた形状の電線引出口４１を備える構成としてもよい。また、開閉蓋５は、必ずしも備えている必要はない。
【００１７】
また、上記実施形態では、電線収納部２が四角箱状を呈していたことから、装着部３の備えられた電線収納部２の前面に隣接する上下，左右の４つの側面に電線引出口４を設けた場合について説明した。しかしながら、電線収納部２が備える電線引出口４の数量や開口方向は、電線収納部２の形状等に応じて適宜設定することができる。例えば、装着部３の配設面に隣接する側面を６つ備える６角筒状を呈した電線収納部では、６つの側面の全てに電線引出口４を開口させてもよく、また、６つの側面の一部に電線引出口４を開口させてもよい。
【００１８】
また、上記実施形態では、ヒンジ部６に可撓性を付与することにより、開閉蓋５を開方向に付勢する付勢手段としてもヒンジ部６を働かせた場合について説明したが、電線引出口４を開閉自在に開閉蓋５に支持するのであれば、ヒンジ部６の構成は任意である。また、開閉蓋５の開閉方向も任意であり、電線収納部２の側面に沿ってスライド又は回動する構成としてもよい。また、閉位置にある開閉蓋５の開方向への移動規制を行うことができるのであれば、ロック体７の数量や配設位置は任意である。また、開閉蓋５の移動規制の方法も任意である。
【００１９】
また、電線収納部は、箱状を呈して一体に構成されている必要はなく、例えば、図４に示す電線収納部２ｂのように、筒状の本体２１の後端開口部を蓋体２２で塞ぐことにより、四角箱状を呈する構成とすることもできる。電線収納部２ｂは、前端側に装着部３を備え、後端側を全面に亘って開口させている。電線収納部２ｂの上下，左右の各側壁は、幅方向の中央部に、後縁部から前方に向けて延びる矩形の切欠２ｂ１を設けた形状を呈している。電線収納部２ｂは、本体２１の後端開口部に蓋体２２を嵌め込まれることにより四角箱状を呈し、各側壁の切欠２ｂ１と蓋体２２とで囲まれる略方形の開口が、電線引出口４２を構成する。
【００２０】
図４に示す電線カバー１によれば、電線カバー１をコネクタＣに装着した後に電線収納部２ｂに収納した電線束を整えたり、コネクタＣに装着した状態のまま開閉蓋５を後端開口部から開くこともできる。また、装着部３の構成に関わらずに後端開口部から開閉蓋５を開くこともでき、電線カバー１の設計の自由度を高めることができる。
【図面の簡単な説明】
【００２１】
【図１】本発明の一実施形態の電線カバーが電線引出口を開いた状態での斜視図である。
【図２】電線引出口から電線を引き出した電線カバーの斜視図である。
【図３】本発明の電線カバーの第１の変形例を示す斜視図である。
【図４】本発明の電線カバーの第２の変形例を示す斜視図である。
【符号の説明】
【００２２】
１                電線カバー
２，２ａ，２ｂ    電線収納部
３                装着部
３ａ              係止部
４，４１，４２    電線引出口
５，５ａ，５ｂ    開閉蓋
６                ヒンジ部
７                ロック体
【図１】
2009093860.tif 000003
【図２】
2009093860.tif 000004
【図３】
2009093860.tif 000005
【図４】
2009093860.tif 000006